(57)【特許請求の範囲】
【請求項１】
計測データ収集者に係る計測データ収集者用コンピュータ装置において、その設置場所からみて遠隔な場所に配設されている上記計測データ収集者に係わる計測データ収集用端末装置において収集・記憶されている計測データの配信を、受け、それを記憶・管理するようになされた計測データ配信システムであって、
上記計測データ収集用端末装置において収集・記憶されている計測データを、当該計測データ収集用端末装置から、その計測データ収集用端末装置の設置場所に配設されている上記計測データ収集者に係る無線装置を介して、無線局を備えたデータ通信網の一の無線局に送信するようになされ、
上記計測データ収集用端末装置から上記無線装置を介して上記データ通信網の一の無線局に送信された計測データを、上記計測データ収集者によって委託されている計測データ管理者に係わる計測データ管理用コンピュータ装置において、上記データ通信網及び上記計測データ管理者に係る計測データ管理者用専用データ回線を介して、受信し、記憶・管理するようになされ、
上記計測データ管理用コンピュータ装置において記憶・管理された計測データを、当該計測データ管理用コンピュータ装置から、上記計測データ収集者用コンピュータ装置に、そのデータ収集者用コンピュータ装置からの上記計測データ収集者に係る計測データ収集者用データ回線を介しての要求に応じ、その計測データ収集者用データ回線を介して配信するようになされ、
上記計測データ管理用コンピュータ装置において、当該計測データ管理用コンピュータ装置において記憶・管理された上記計測データ収集用端末装置からの計測データを用い、それに欠陥が生じているか否かを検知するようになされ、それにより、上記計測データ管理用コンピュータ装置において、当該計測データ管理用コンピュータ装置において記憶・管理された計測データに欠陥が生じていることが検知されれば、その欠陥が生じていることになった上記計測データ収集用端末装置において収集・記憶されている計測データを、上記計測データ収集用端末装置から、当該計測データ管理用コンピュータ装置からの上記計測データ管理者用専用データ回線、上記データ通信網、その一の無線局及び上記無線装置を介しての要求に応じ、上記無線装置、上記データ通信網の一の無線局、上記データ通信網及び上記計測データ管理者用専用データ回線を介して再受信し、その再受信された上記計測データについて、それに欠陥が生じているか否かを検知するようになされ、それにより、その再受信された計測データに欠陥が生じていないことが検知されれば、その再受信された計測データを、上記欠陥が生じていることが検知された計測データに代え、記憶・管理するようになされ、
上記計測データ収集用端末装置の設置場所に配設された監視装置おいて、上記計測データ収集用端末装置及び上記無線装置の動作に係わる監視情報を得るようになされ、
上記計測データ管理用コンピュータ装置において、上記監視装置において得られる監視情報を、上記無線装置、上記データ通信網の一の無線局、上記データ通信網及び上記計測データ管理者用専用データ回線を介して受信し、それを用いて、上記計測データ収集用端末装置及び無線装置において動作上の異常が生じているか否かを検知するようになされ、それにより、当該計測データ管理用コンピュータ装置において、上記計測データ収集用端末装置及び無線装置において動作上の異常が生じていることが検知されれば、そのことを、当該計測データ管理用コンピュータ装置から、上記計測データ収集者用コンピュータ装置に、上記計測データ収集者用データ回線または他の通信回線を介して、通知するようになされていることを特徴とする計測データ配信システム。
【請求項２】
計測データ収集者に係る計測データ収集者用コンピュータ装置において、その設置場所からみて遠隔な場所に配設されている上記計測データ収集者に係わる計測データ収集用端末装置において収集・記憶されている計測データの配信を、受けるようになされている、という計測データ配信システムに用いる、上記計測データ収集者から委託された計測データ管理者に係る計測データ管理用コンピュータ装置であって、
上記計測データ収集用端末装置において収集・記憶されている計測データの、上記計測データ収集用端末装置の設置場所に配設された上記計測データ収集者に係る無線装置を介して無線局を備えたデータ通信網の一の無線局に送信された計測データを、上記データ通信網及び計測データ管理者に係る計測データ管理者用専用データ回線を介して受信し、その受信された計測データを記憶・管理するようになされているとともに、その記憶・管理された計測データを、上記計測データ収集者用コンピュータ装置に、その計測データ収集者用コンピュータ装置からの上記計測データ収集者に係る計測データ収集者用データ回線を介しての要求に応じ、その計測データ収集者用データ回線を介して配信するようになされ、
当該計測データ管理用コンピュータ装置において記憶・管理された上記データ収集用端末装置からの計測データを用い、それに欠陥が生じているか否かを検知するようになされ、それにより、当該計測データ管理用コンピュータ装置において記憶・管理された計測データに欠陥が生じていることが検知されれば、その欠陥が生じていることになった上記データ収集用端末装置において収集・記憶されている計測データを、上記計測データ収集用端末装置から、当該計測データ管理用コンピュータ装置からの上記計測データ管理者用専用データ回線、上記データ通信網、その一の無線局及び上記無線装置を介しての要求に応じ、上記無線装置、上記データ通信網の一の無線局、上記データ通信網及び上記計測データ管理者用専用データ回線を介して再受信し、その再受信された計測データについて、それに欠陥が生じているか否かを検知するようになされ、それにより、その再受信された計測データに欠陥が生じていないことが検知されれば、その再受信された計測データを、上記欠陥が生じていることが検知された計測データに代え、記憶・管理するようになされ、
上記計測データ収集用端末装置の設置場所に配設された監視装置において得られる上記計測データ収集用端末装置及び上記無線装置の動作に係わる監視情報を、上記無線装置、上記データ通信網の一の無線局、上記データ通信網及び上記計測データ管理者用専用データ回線を介して受信し、その受信された監視情報を用いて、上記計測データ収集用端末装置において動作上の異常が生じているか否かを検知するようになされ、それにより、当該計測データ管理用コンピュータ装置において、上記計測データ収集用端末装置において動作上の異常が生じていることが検知されれば、そのことを、当該計測データ管理用コンピュータ装置から、上記計測データ収集者用コンピュータ装置に、上記計測データ収集者用データ回線を介してまたは他の通信回線を介して、通知するようになされていることを特徴とする計測データ配信システムに用いる計測データ管理用コンピュータ装置。
【発明の詳細な説明】
【０００１】
【発明の属する技術分野】
本発明は、計測データ収集者に係る計測データ収集者用コンピュータ装置において、その設置場所からみて遠隔な場所に配設されている計測データ収集者に係る計測データ収集用端末装置において収集・記憶されている計測データの配信を、受け、それを記憶・管理するようになされた計測データ配信システム、及びそれに用いる計測データ管理用コンピュータ装置に関する。
【０００２】
【従来の技術】
従来、計測データ収集者に係る計測データ収集者用コンピュータ装置において、その設置場所からみて遠隔な場所に配設されている計測データ収集者に係る計測データ収集用端末装置において収集・記憶されている計測データの配信を、専用のまたは非専用の計測データ収集者用データ回線を介して、直接的に、受け、それを記憶・管理するようになされた計測データ配信システムが提案されている。
【０００３】
このような従来の計測データ配信システムによれば、計測データ収集者用コンピュータ装置において、計測データ収集用端末装置において収集・記憶されている計測データの配信を、計測データ収集者用データ回線を介して、計測テータに欠陥を伴うことなしに、適切に受け、且つその計測データを、随時容易に利用し得るように、適切に記憶・管理している限り、計測データ収集者用コンピュータ装置において、計測データ収集用端末装置において収集・記憶された計測データを、効果的に利用することができる。
【０００４】
【発明が解決しようとする課題】
しかしながら、計測データ収集者用コンピュータ装置において、計測データ収集用端末装置において収集・記憶されている計測データの配信を、計測データ収集者用データ回線を介して、計測データに欠陥を伴うことなしに適切に、直接的に受けるようにすることは、計測データ収集用端末装置が計測データ収集者用コンピュータ装置からみて遠隔な場所に配されている点からみても、また、計測データの性質及びデータ量の点からみても、多くの費用と多くの困難を伴うとともに、計測データ収集者用コンピュータ装置において、計測データ収集者用データ回線を介して配信を受けた計測データを、随時容易に利用し得るように、適切に記憶・管理するようにすることも、計測データの性質及びデータ量の点からみても、多くの費用と多くの困難を伴う、という欠点を有していた。
【０００５】
このことは、計測データ収集者用コンピュータ装置において、その計測データ収集者用コンピュータ装置において記憶・管理された、計測データ収集用端末装置から配信を受けた計測データに欠陥が生じていることに適切に対応することができるようにすること、さらには、計測データ収集者用コンピュータ装置において、計測データ収集用端末装置において動作上の異常が生じていることに適切に対応することができるようにすることを考えれば、なおさらである。
【０００６】
よって、本発明は、計測データ収集者用コンピュータ装置において、計測データ収集用端末装置において収集・記憶されている計測データの配信を、上述した欠点を伴うことなしに受け、それを記憶・管理することができる、という新規な計測データ配信システム、及びそれに用いる計測データ管理用コンピュータ装置を提案せんとするものである。
【０００７】
【課題を解決するための手段】
本発明による計測データ配信システムは、（ａ）計測データ収集者に係る計測データ収集者用コンピュータ装置において、その設置場所からみて遠隔な場所に配設されている上記計測データ収集者に係わる計測データ収集用端末装置において収集・記憶されている計測データの配信を、受け、それを記憶・管理するようになされた計測データ配信システムであって、（ｂ）上記計測データ収集用端末装置において収集・記憶されている計測データを、当該計測データ収集用端末装置から、その計測データ収集用端末装置の設置場所に配設されている上記計測データ収集者に係る無線装置を介して、無線局を備えたデータ通信網の一の無線局に送信するようになされ、（ｃ）上記計測データ収集用端末装置から上記無線装置を介して上記データ通信網の一の無線局に送信された計測データを、上記計測データ収集者によって委託されている計測データ管理者に係わる計測データ管理用コンピュータ装置において、上記データ通信網及び上記計測データ管理者に係る計測データ管理者用専用データ回線を介して、受信し、記憶・管理するようになされ、（ｄ）上記計測データ管理用コンピュータ装置において記憶・管理された計測データを、当該計測データ管理用コンピュータ装置から、上記計測データ収集者用コンピュータ装置に、そのデータ収集者用コンピュータ装置からの上記計測データ収集者に係る計測データ収集者用データ回線を介しての要求に応じ、その計測データ収集者用データ回線を介して配信するようになされ、（ｅ）上記計測データ管理用コンピュータ装置において、当該計測データ管理用コンピュータ装置において記憶・管理された上記計測データ収集用端末装置からの計測データを用い、それに欠陥が生じているか否かを検知するようになされ、それにより、上記計測データ管理用コンピュータ装置において、当該計測データ管理用コンピュータ装置において記憶・管理された計測データに欠陥が生じていることが検知されれば、その欠陥が生じていることになった上記計測データ収集用端末装置において収集・記憶されている計測データを、上記計測データ収集用端末装置から、当該計測データ管理用コンピュータ装置からの上記計測データ管理者用専用データ回線、上記データ通信網、その一の無線局及び上記無線装置を介しての要求に応じ、上記無線装置、上記データ通信網の一の無線局、上記データ通信網及び上記計測データ管理者用専用データ回線を介して再受信し、その再受信された上記計測データについて、それに欠陥が生じているか否かを検知するようになされ、それにより、その再受信された計測データに欠陥が生じていないことが検知されれば、その再受信された計測データを、上記欠陥が生じていることが検知された計測データに代え、記憶・管理するようになされ、（ｆ）上記計測データ収集用端末装置の設置場所に配設された監視装置おいて、上記計測データ収集用端末装置及び上記無線装置の動作に係わる監視情報を得るようになされ、（ｇ）上記計測データ管理用コンピュータ装置において、上記監視装置において得られる監視情報を、上記無線装置、上記データ通信網の一の無線局、上記データ通信網及び上記計測データ管理者用専用データ回線を介して受信し、それを用いて、上記計測データ収集用端末装置及び無線装置において動作上の異常が生じているか否かを検知するようになされ、それにより、当該計測データ管理用コンピュータ装置において、上記計測データ収集用端末装置及び無線装置において動作上の異常が生じていることが検知されれば、そのことを、当該計測データ管理用コンピュータ装置から、上記計測データ収集者用コンピュータ装置に、上記計測データ収集者用データ回線を介してまたは他の通信回線を介して、通知するようになされている。
【０００８】
また、本発明による計測データ管理用コンピュータ装置は、（ａ）計測データ収集者に係る計測データ収集者用コンピュータ装置において、その設置場所からみて遠隔な場所に配設されている上記計測データ収集者に係わる計測データ収集用端末装置において収集・記憶されている計測データの配信を、受けるようになされている、という計測データ配信システムに用いる、上記計測データ収集者から委託された計測データ管理者に係る計測データ管理用コンピュータ装置であって、（ｂ）上記計測データ収集用端末装置において収集・記憶されている計測データの、上記計測データ収集用端末装置の設置場所に配設された上記計測データ収集者に係る無線装置を介して無線局を備えたデータ通信網の一の無線局に送信された計測データを、上記データ通信網及び計測データ管理者に係る計測データ管理者用専用データ回線を介して受信し、その受信された計測データを記憶・管理するようになされているとともに、その記憶・管理された計測データを、上記計測データ収集者用コンピュータ装置に、その計測データ収集者用コンピュータ装置からの上記計測データ収集者に係る計測データ収集者用データ回線を介しての要求に応じ、その計測データ収集者用データ回線を介して配信するようになされ、（ｃ）当該計測データ管理用コンピュータ装置において記憶・管理された上記データ収集用端末装置からの計測データを用い、それに欠陥が生じているか否かを検知するようになされ、それにより、当該計測データ管理用コンピュータ装置において記憶・管理された計測データに欠陥が生じていることが検知されれば、その欠陥が生じていることになった上記データ収集用端末装置において収集・記憶されている計測データを、上記計測データ収集用端末装置から、当該計測データ管理用コンピュータ装置からの上記計測データ管理者用専用データ回線、上記データ通信網、その一の無線局及び上記無線装置を介しての要求に応じ、上記無線装置、上記データ通信網の一の無線局、上記データ通信網及び上記計測データ管理者用専用データ回線を介して再受信し、その再受信された計測データについて、それに欠陥が生じているか否かを検知するようになされ、それにより、その再受信された計測データに欠陥が生じていないことが検知されれば、その再受信された計測データを、上記欠陥が生じていることが検知された計測データに代え、記憶・管理するようになされ、（ｄ）上記計測データ収集用端末装置の設置場所に配設された監視装置において得られる上記計測データ収集用端末装置及び上記無線装置の動作に係わる監視情報を、上記無線装置、上記データ通信網の一の無線局、上記データ通信網及び上記計測データ管理者用専用データ回線を介して受信し、その受信された監視情報を用いて、上記計測データ収集用端末装置において動作上の異常が生じているか否かを検知するようになされ、それにより、当該計測データ管理用コンピュータ装置において、上記計測データ収集用端末装置において動作上の異常が生じていることが検知されれば、そのことを、当該計測データ管理用コンピュータ装置から、上記計測データ収集者用コンピュータ装置に、上記計測データ収集者用データ回線を介してまたは他の通信回線を介して、通知するようになされている。
【０００９】
【発明の実施の形態】
次に、図１を伴って、本発明による計測データ配信システムの実施の形態を、それに用いる計測データ管理用コンピュータ装置の実施の形態とともに述べよう。
図１に示す本発明による計測データ配信システムは、従来提案されている計測データ配信システムの場合と同様の、計測データ収集者（これを一般にＡとする）に係る計測データ収集者用コンピュータ装置（これを一般にＣＰＵ−Ａとする）において、その設置場所（これを一般にＰ−Ａとする）からみて遠隔な場所（これをＰ−Ｕとする）に配設されている計測データ収集者Ａに係わる計測データ収集用端末装置（これをＵとする）によって収集・記憶された計測データ（これを一般にＤとする）の配信を、受け、それを記憶・管理するようになされている計測データ配信システムではあるが、計測データ収集用端末装置Ｕによって収集・記憶されている計測データＤを、計測データ収集用端末装置Ｕから、その設置場所Ｐ−Ｕに配設された計測データ収集者Ａに係る無線装置Ｍを介して、無線局を備えたデータ通信網（これをＮＥＴ−Ｄｏとする）の一の無線局（これをＲとする）に送信するようになされている。
【００１０】
この場合、計測データ収集用端末装置Ｕとしては、それ自体公知の種々の計測データ収集用端末装置を用い得るが、計測データ収集用端末装置Ｕは、いま、３０分とか１時間とかというような比較的長い時間をＴＡ とし、その時間ＴＡ 毎に順次とった時点をｔ１ 、ｔ２ 、ｔ３ ………とするとき、ｎ個のチャンネル（ｎは１以上の整数）の、温度、湿度、風速などの時系列データである計測データＤ１ 、Ｄ２ 、………Ｄｎ を、図２に示すように、時点ｔｉ （ｉ＝１、２………）から、時間ＴＡ に比し格段的に短い時間ＴＢ をとった時点ｔｉ ′までの間で、順次に、それぞれ計測データＤ１ｉ、Ｄ２ｉ、………Ｄｎｉとしてサンプリングし、それらサンプリングによって得られる計測デ―タＤ１ｉ、Ｄ２ｉ、………Ｄｎｉを、図３に示すように、メモリＭ１ｉ、Ｍ２ｉ、………Ｍｎｉにそれぞれアドレス付けして記憶することで、計測データＤを収集・記憶するようになされている。
【００１１】
また、データ通信網ＮＥＴ−Ｄｏとしては、それ自体公知の種々のデータ通信網、例えば「パケット通信網」を用い得、また、無線装置Ｍも、それ自体公知のデータ通信網ＮＥＴ−Ｄｏに対応の無線装置、例えばデータ通信網ＮＥＴ−Ｄｏが「パケット通信網」である場合、その「パケット通信網」に対応のそれ自体公知の無線装置を用い得るが、計測データ収集用端末装置Ｕが、上述したようにしてメモリＭ１１〜Ｍｎ１の組、Ｍ１２〜Ｍｎ２の組、………にそれぞれ記憶されている計測データＤ１１〜Ｄｎ１の組、Ｄ１２〜Ｄｎ２の組、………中から順次組単位で１つまたは複数組づつ選択された計測データの組を、無線装置Ｍを介して、データ通信網ＮＥＴ−Ｄｏの無線局Ｒに送信することで、計測データ収集用端末装置Ｕにおいて収集・記憶されている計測データＤを、計測データ収集用端末装置Ｕから、無線装置Ｍを介して、データ通信網ＮＥＴ−Ｄｏの一の無線局Ｒに送信するようになされている。
【００１２】
また、図１に示す本発明による計測データ配信システムは、上述したようにして計測データ収集用端末装置Ｕから無線装置Ｍを介してデータ通信網ＮＥＴ−Ｄｏの一の無線局Ｒに送信された計測データＤを、計測データ収集者Ａによって委託された計測データ管理者Ｂに係わる計測データ管理用コンピュータ装置ＣＰＵ−Ｂにおいて、データ通信網ＮＥＴ−Ｄｏ及び計測データ管理者Ｂに係る計測データ管理者用専用データ回線Ｌ−Ｂを介して、受信するようになされている。
この場合、計測データ管理者用専用データ回線Ｌ−Ｂとしては、データ通信網ＮＥＴ−Ｄｏに対応のそれ自体は公知の種々の専用データ回線を用い得る。
【００１３】
また、計測データ管理用コンピュータ装置ＣＰＵ−Ｂとしても、それ自体公知の種々のコンピュータ装置を用い得るが、計測データ管理用コンピュータ装置ＣＰＵ−Ｂは、計測データ管理者用専用データ回線Ｌ−Ｂに対応のそれ自体は公知のインターフェースＦＮを有し、そのインターフェースＦＮを介して、上述したようにして計測データ収集用端末装置Ｕから無線装置Ｍを介してデータ通信網ＮＥＴ−Ｄｏの一の無線局Ｒに送信された、上述したようにしてメモリＭ１１〜Ｍｎ１の組、Ｍ１２〜Ｍｎ２の組、………にそれぞれ記憶されている計測データＤ１１〜Ｄｎ１の組、Ｄ１２〜Ｄｎ２の組、………中から順次組単位で１つまたは複数組づつ選択された計測データの組を、データ通信網ＮＥＴ−Ｄｏ及び計測データ管理者用専用データ回線Ｌ−Ｂを介して、受信することで、計測データ収集用端末装置Ｕから無線装置Ｍを介してデータ通信網ＮＥＴ−Ｄｏの一の無線局Ｒに送信された計測データＤを、計測データ管理用コンピュータ装置ＣＰＵ−Ｂにおいて、データ通信網ＮＥＴ−Ｄｏ及び計測データ収集者専用データ回線Ｌ−Ｂを介して受信するようになされている。
【００１４】
さらに、図１に示す本発明による計測データ配信システムは、計測データ管理用コンピュータ装置ＣＰＵ−Ｂにおいて上述したようにして受信された計測データＤを、その計測データ管理用コンピュータ装置ＣＰＵ−Ｂにおいて、記憶・管理するようになされている。
この場合、計測データ管理用コンピュータ装置ＣＰＵ−Ｂは、行方向に順次第１、第２………の項目をとり、列方向に順次第１、第２、………のレコード番目をとるようになされたそれ自体は公知のテーブルＴＢＬを構成し得るようになされ、そして、図４に示すように、そのテーブルＴＢＬの行方向にとった第１、第２、………第ｎの項目にｎ個のチャンネルの上述した計測データＤ１ 、Ｄ２ 、………Ｄｎ を順次割り当て、列方向にとった第１、第２………のレコード番目に上述した時間ｔ１ 〜ｔ１ ′、ｔ２ 〜ｔ２ ′、………を順次割り当てて、計測データ管理用コンピュータ装置ＣＰＵ−Ｂが上述したようにして計測データ収集用端末装置Ｕから受信したメモリＭ１１〜Ｍｎ１の組、Ｍ１２〜Ｍｎ２の組、………にそれぞれ記憶されている計測データＤ１１〜Ｄｎ１の組、Ｄ１２〜Ｄｎ２の組、………中から順次組単位で１つまたは複数組づつ選択された計測データの組を、結果的にみて、テーブルＴＢＬの第１；第２；………のレコード番目の第１、第２、………第ｎの項目に、上述した計測データＤ１１、Ｄ２１、………Ｄｎ１；Ｄ１２、Ｄ２２、………Ｄｎ２；………がそれぞれ第１；第２；………のレコードＲ１ ；Ｒ２ ………として、それ自体は公知のプログラム（ソフトウェア）を用いてそれぞれ読み出し自在に書き込むことで、受信された計測データＤを、記憶・管理するようになされている。
【００１５】
また、図１に示す本発明による計測データ配信システムは、上述したようにして計測データ管理用コンピュータ装置ＣＰＵ−Ｂにおいて記憶・管理された計測データＤを、その計測データ管理用コンピュータ装置ＣＰＵ−Ｂから、計測データ収集者Ａに係る計測データ収集者用コンピュータ装置ＣＰＵ−Ａに、その計測データ収集者用コンピュータ装置ＣＰＵ−Ａからの計測データ収集者Ａに係る計測データ収集者用データ回線Ｌ−Ａを介しての要求に応じ、その計測データ収集者用データ回線Ｌ−Ａを介して配信するようになされている。
この場合、計測データ収集者用データ回線Ｌ−Ａとしてはインターネットを含む通信回線を用い得る。
【００１６】
また、計測データ収集者用コンピュータ装置ＣＰＵ−Ａ及び計測データ管理用コンピュータ装置ＣＰＵ−Ｂは、計測データ収集者用データ回線Ｌ−Ａに対応のそれ自体は公知のインターフェースＦＡ及びＦＢをそれぞれ有し、計測データ収集者用コンピュータ装置ＣＰＵ−Ａから、計測データ管理用コンピュータ装置ＣＰＵ−Ｂに、計測データ収集者用コンピュータ装置ＣＰＵ−ＡのインターフェースＦＡ、計測データ収集者用データ回線Ｌ−Ａ及び計測データ管理用コンピュータ装置ＣＰＵ−ＢのインターフェースＦＢを介して、計測データ管理用コンピュータ装置ＣＰＵ−Ｂが構成するテーブルＴＢＬ上の、上述したようにして計測データＤ１１〜Ｄｎ１；Ｄ１２〜Ｄｎ２；………がそれぞれ記憶されている第１；第２；………のレコードＲ１ ；Ｒ２ ；………中の１つまたは複数もしくは全てのレコードについて配信を要求する旨を表している配信要求情報ＱＡが送信され、その配信要求情報ＱＡを、計測データ管理用コンピュータ装置ＣＰＵ−Ｂが受信し、それに応じ、計測データ管理用コンピュータ装置ＣＰＵ−Ｂにおいて、テーブルＴＢＬ上の第１；第２；………のレコードＲ１ ；Ｒ２ ；………中の、計測データ収集者用コンピュータ装置ＣＰＵ−Ａから配信要求情報ＱＡによって要求のあった１つまたは複数もしくは全てのレコードを読み出し、その読み出した１つまたは複数もしくは全てのレコードを、計測データ収集者用コンピュータ装置ＣＰＵ−Ａに、計測データ管理用コンピュータ装置ＣＰＵ−ＢのインターフェースＦＢ、計測データ収集者用データ回線Ｌ−Ａ及び計測データ収集者用コンピュータ装置ＣＰＵ−ＡのインターフェースＦＡを介して配信することで、計測データ管理用コンピュータ装置ＣＰＵ−Ｂによって記憶・管理された計測データＤを、その計測データ管理用コンピュータ装置ＣＰＵ−Ｂから、計測データ収集者用コンピュータ装置ＣＰＵ−Ａに、計測データ収集者用データ回線Ｌ−Ａを介しての要求に応じ、その計測データ収集者用データ回線Ｌ−Ａを介して配信するようになされている。
【００１７】
さらに、図１に示す本発明による計測データ配信システムは、計測データ管理用コンピュータ装置ＣＰＵ−Ｂにおいて、その計測データ管理用コンピュータ装置ＣＰＵ−Ｂにおいて記憶・管理された計測データＤを用い、それに欠陥が生じているか否かを検知するようになされ、それにより、計測データ管理用コンピュータ装置ＣＰＵ−Ｂにおいて記憶・管理された計測データＤに欠陥が生じていることが検知されれば、その欠陥が生じていることになった計測データ収集用端末装置Ｕにおいて収集・記憶されている計測データＤを、計測データ収集用端末装置Ｕから、計測データ管理用コンピュータ装置ＣＰＵ−Ｂからの計測データ管理者用専用データ回線Ｌ−Ｂ、データ通信網ＮＥＴ−Ｄｏ、その一の無線局Ｒ及び無線装置Ｍを介しての要求に応じ、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して再受信し、その再受信された計測データＤについて、それに欠陥が生じているか否かを検知するようになされ、それにより、その再受信された計測データＤに欠陥が生じていないことが検知されれば、その再受信された計測データＤを、欠陥が生じていることが検知された計測データＤに代え、記憶・管理するようになされている。
この場合、計測データ管理用コンピュータ装置ＣＰＵ−Ｂは、その計測データ管理用コンピュータ装置ＣＰＵ−Ｂが構成するテーブルＴＢＬ上のレコードＲ１ 、Ｒ２ 、………のそれぞれ（これを一般にＲａ とする）について、そのレコードＲａ がテーブルＴＢＬ上の第ａのレコード番目に書き込まれる毎に、そのレコードＲａ の第１、第２、………第ｎ項目の計測データＤ１ａ、Ｄ２ａ、………Ｄｎａにそれぞれ欠陥が生じているか否かを検知する欠陥検知手段ＤＴを有し、それを用いて、レコードＲａの第１、第２、………第ｎの項目の計測データＤ１ａ、Ｄ２ａ、………Ｄｎａの値が、計測データＤ１ 、Ｄ２ 、………Ｄｎ の性質からそれぞれ決められる閾値（それらをＶｔ１、Ｖｔ２、………Ｖｔｎとする）内の値にそれぞれあるか否かの検知が行われることで、計測データ管理用コンピュータ装置ＣＰＵ−Ｂにおいて記憶・管理された計測データＤに欠陥が生じているか否かを検知するようになされている。
【００１８】
また、計測データ管理用コンピュータ装置ＣＰＵ−Ｂにおいて、上述したようにしてテーブルＴＢＬ上のレコードＲａ の第１、第２、………第ｎ項目の計測データＤ１ａ、Ｄ２ａ、………Ｄｎａの値が閾値Ｖｔ１、Ｖｔ２、………Ｄｔｎ内の値にそれぞれあるか否かの検知が行われて、いま、そのレコードＲａ の第１、第２、………第ｎ項目の計測データＤ１ａ、Ｄ２ａ、………Ｄｎａ中の一の計測データ（これを一般に計測データＤｘａとする）が閾値Ｖｔｘ内の値になければ、計測データＤｘａが、そこに欠陥が生じているものとし、計測データ管理用コンピュータ装置ＣＰＵ−Ｂから、計測データ収集用端末装置Ｕに、計測データＤｘａが属するレコードＲａ になった、計測データ収集用端末装置ＵにおけるメモリＭ１ａ、Ｍ２ａ、………Ｍｎａにそれぞれ収集・記憶されている計測データＤ１ａ、Ｄ２ａ、………Ｄｎａの再送を要求することを表している再送要求情報ＱＵを、インターフェースＦＮ、計測データ管理者用専用データ回線Ｌ−Ｂ、データ通信網ＮＥＴ−Ｄｏ、その一の無線局Ｒ及び無線装置Ｍを介して送信し、これに応じ、計測データ収集用端末装置Ｕから、計測データ管理用コンピュータ装置ＣＰＵ−Ｂに、再送要求情報ＱＵによって再送を要求しているメモリＭ１ａ、Ｍ２ａ、………Ｍｎａに収集・記憶されている計測データＤ１ａ、Ｄ２ａ、………Ｄｎａを、無線装置Ｍ、データ通信網ＮＥＴ−Ｄｏの無線局Ｒ、データ通信網ＮＥＴ−Ｄｏ及び計測データ管理者用専用データ回線Ｌ−Ｂ及びインターフェースＦＮを介して送信し、それに応じ、それら計測データＤ１ａ、Ｄ２ａ、………Ｄｎａを、計測データ管理用コンピュータ装置ＣＰＵ−Ｂが受信することで、計測データ管理用コンピュータ装置ＣＰＵ−Ｂにおいて記憶・管理された計測データＤに欠陥が生じていることが検知されれば、その欠陥が生じていることになった計測データ収集用端末装置Ｕにおいて収集・記憶されている計測データＤを、計測データ収集用端末装置Ｕから、計測データ管理用コンピュータ装置ＣＰＵ−Ｂからの計測データ管理者用専用データ回線Ｌ−Ｂ、データ通信網ＮＥＴ−Ｄｏ、その一の無線局Ｒ及び無線装置Ｍを介しての要求に応じ、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して再受信するようになされている。
【００１９】
さらに、計測データ管理用コンピュータ装置ＣＰＵ−Ｂにおいて、上述したようにして欠陥が生じていることになった計測データ収集用端末装置Ｕにおいて収集・記憶されている計測データＤ１ａ、Ｄ２ａ、………Ｄｎａを再受信して、その再受信された計測データＤ１ａ、Ｄ２ａ、………Ｄｎａについて、それらにそれぞれ欠陥が生じているか否かを、上述した欠陥検知手段ＤＴを用いて、上述したテーブルＴＢＬ上のレコードＲａ の計測データＤ１ａ、Ｄ２ａ、………Ｄｎａについて、それに欠陥が生じているか否かを検知する場合と同様に、検知するようになされている。
【００２０】
また、計測データ管理用コンピュータ装置ＣＰＵ−Ｂにおいて、上述したようにして再受信された計測データＤ１ａ、Ｄ２ａ、………Ｄｎａについて、それらに欠陥が生じているか否かの検知が行われて、いま、それら計測データＤ１ａ、Ｄ２ａ、………Ｄｎａに欠陥が生じていないことが検知されれば、それら計測データＤ１ａ、Ｄ２ａ、………Ｄｎａで、テーブルＴＢＬ上のレコードＲａ の第１、第２、………第ｎ項目の計測データＤ１ａ、Ｄ２ａ、………Ｄｎａをそれぞれ置換することで、計測データ収集用端末装置Ｕにおいて再受信された計測データＤを、欠陥が生じていることが検知された計測データＤに代え、記憶・管理するようになされている。
【００２１】
また、図１に示す本発明による計測データ配信システムは、計測データ収集用端末装置Ｕの設置場所に配設された監視装置Ｗにおいて、計測データ収集用端末装置Ｕ及び無線装置Ｍの動作に係わる監視情報Ｈを得るようになされている。
この場合、監視装置Ｗは、それ自体公知の種々の監視装置を用い得るが、計測データ収集用端末装置Ｕ及び無線装置Ｍの動作に係る監視情報Ｈを、計測データ収集用端末装置Ｕ及び無線装置Ｍに対する電源を監視している情報を含んで、一定時間毎にまたは連続的に得、それを、必要に応じ、それ自体は公知の記憶手段を用いて記憶・管理するようになされている。
【００２２】
さらに、図１に示す本発明による計測データ配信システムは、計測データ管理用コンピュータ装置ＣＰＵ−Ｂにおいて、監視装置Ｗにおいて得られる監視情報Ｈを、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して受信し、それを用いて、計測データ収集用端末装置Ｕ及び無線装置Ｍにおいて動作上の異常が生じているか否かを検知するようになされ、それにより、計測データ管理用コンピュータ装置ＣＰＵ−Ｂにおいて、計測データ収集用端末装置Ｕ及び無線装置Ｍにおいて動作上の異常が生じていることが検知されれば、そのことを、計測データ管理用コンピュータ装置ＣＰＵ−Ｂから、計測データ収集者用コンピュータ装置ＣＰＵ−Ａに、計測データ収集者用データ回線Ｌ−Ａを介してまたは他の通信回線Ｌ−Ｃを介して、通知するようになされている。
この場合、監視装置Ｗは、そこにおいて得られる監視情報Ｈを、一定時間毎または連続的に、無線装置Ｍを介して、データ通信網ＮＥＴ−Ｄｏの無線局Ｒに送信し、そのように送信された監視情報Ｈを、計測データ管理用コンピュータ装置ＣＰＵ−Ｂにおいて、データ通信網ＮＥＴ−Ｄｏ、計測データ管理者用専用データ回線Ｌ−Ｂ及びインターフェースＦＮを介して受信し、それを、必要に応じ、それ自体は公知の記憶手段を用いて記憶・管理することで、計測データ管理用コンピュータ装置ＣＰＵ−Ｂにおいて、監視装置Ｗにおいて得られる監視情報Ｈを、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して受信するようになされている。
【００２３】
また、計測データ管理用コンピュータ装置ＣＰＵ−Ｂにおいて、上述したようにして得られる監視情報Ｈが、計測データ収集用端末装置Ｕ及び無線装置Ｍにおいて動作上の異常が生じているか否かを検知する異常検知手段ＡＲを有し、それによって、監視情報Ｈの値が定常時の値から大きく変化しているか否かを検知することで、計測データ収集用端末装置Ｕ及び無線装置Ｍにおいて動作上の異常が生じているか否かを検知するようになされている。
【００２４】
さらに、計測データ管理用コンピュータ装置ＣＰＵ−Ｂにおいて、上述したようにして監視情報Ｈの値が定常時の値から大きく変化しているか否かの検知が行われて、その監視情報Ｈの値が定常時の値から大きく変化していれば、計測データ収集用端末装置Ｕ及び無線装置Ｍにおいて動作上の異常が生じているものとし、その異常が生じていることを表している異常表示情報ＡＭを、インターフェースＦＢ−計測データ収集者用データ回線Ｌ−Ａ−計測データ収集者用コンピュータ装置ＣＰＵ−ＡのインターフェースＦＡを介してまたは別途の通信回線Ｌ−Ｃを介して（図においては、別途の通信回線Ｌ−Ｃを介して）、計測データ収集者用コンピュータ装置ＣＰＵ−Ａに送信することで、計測データ管理用コンピュータ装置ＣＰＵ−Ｂから、計測データ収集用端末装置Ｕ及び無線装置Ｍにおいて動作上の異常が生じていることが検知されたことを、計測データ収集者用コンピュータ装置ＣＰＵ−Ａに、計測データ収集者用データ回線Ｌ−Ａを介してまたは他の通信回線Ｌ−Ｃを介して、通知するようになされている。
【００２５】
以上が、本発明による計測データ配信システムの実施の形態の構成である。
このような構成を有する本発明による計測データ配信システムによれば、計測データ管理用コンピュータ装置ＣＰＵ−Ｂにおいて、計測データ収集用端末装置Ｕにおいて収集・記憶されている計測データＤを、無線装置Ｍ、データ通信網ＮＥＴ−Ｄｏの無線局Ｒ、データ通信網ＮＥＴ−Ｄｏ及び計測データ管理者用専用データ回線Ｌ−Ｂを介して受け、それを記憶・管理されるようになされ、そして、その記憶・管理された計測データＤを、計測データ収集者用コンピュータ装置ＣＰＵ−Ａに、それからの計測データ収集者用データ回線Ｌ−Ａを介しての要求に応じ、同じ計測データ収集者用データ回線Ｌ−Ａを介して配信するようになされているので、計測データ収集者用コンピュータ装置ＣＰＵ−Ａにおいて、計測データ収集用端末装置Ｕにおいて収集・記憶されている計測データＤの配信を受け、それを記憶・管理することができる。
【００２６】
また、図１に示す本発明による計測データ配信システムによれば、上述したように、計測データ管理用コンピュータ装置ＣＰＵ−Ｂにおいて、計測データ収集用端末装置Ｕにおいて収集・記憶されている計測データＤを受け、それを記憶・管理し、その記憶・管理された計測データＤを、計測データ収集者用コンピュータ装置ＣＰＵ−Ａに、その計測データ収集者用コンピュータ装置ＣＰＵ−Ａからの要求に応じ配信することで、従って、計測データ収集者用コンピュータ装置ＣＰＵ−Ａにおいては、計測データ管理用コンピュータ装置ＣＰＵ−Ｂにおいて記憶・管理されている計測データＤの配信を、その計測データ収集者用コンピュータ装置ＣＰＵ−Ａの要求によって受けるだけで、計測データ収集用端末装置Ｕにおいて収集・記憶されている計測データＤの配信を受けることができるので、計測データ収集者用コンピュータ装置ＣＰＵ−Ａにおいて、計測データ収集用端末装置Ｕにおいて収集・記憶されている計測データＤを、従来の計測データ配信システムのように、計測データ収集者用データ回線を介して、直接的に受けるようにする場合に比し、より適切に、多くの費用と多くの困難を伴うことなしに、受けることができる。
【００２７】
また、図１に示す本発明による計測データ配信システムによれば、計測データ管理用コンピュータ装置ＣＰＵ−Ｂにおいて、計測データ収集用端末装置Ｕにおいて収集・記憶されている計測データＤを受け、それを記憶・管理するようになされ、そして、その記憶・管理された計測データＤを用い、それに欠陥が生じているか否かを検知し、欠陥が生じていることが検知されれば、その欠陥が生じている計測データＤになった計測データＤを、計測データ収集用端末装置Ｕから、計測データ管理用コンピュータ装置ＣＰＵ−Ｂの要求に応じて再受信し、それを、それに欠陥が生じていなければ、欠陥が生じている計測データに代え、記憶・管理するようにしているので、計測データ収集者用コンピュータ装置ＣＰＵ−Ａにおいて、計測データ収集用端末装置Ｕにおいて収集・記憶されている計測データＤを、欠陥の生じていない計測データＤとして、多くの費用と多くの困難を伴うことなしに、容易に受けることができる。
【００２８】
さらに、図１に示す本発明による計測データ配信システムによれば、計測データ管理用コンピュータ装置ＣＰＵ−Ｂにおいて、計測データ収集用端末装置Ｕの設置場所に配設された監視装置Ｗから得られる計測データ収集用端末装置Ｕ及び無線装置Ｍの動作に係る監視情報Ｈを受信し、それを用い、計測データ収集用端末装置Ｕ及び無線装置Ｍにおいて動作上の異常が生じているか否かを検知し、異常が生じていることが検知されれば、そのことを、計測データ収集者用コンピュータ装置ＣＰＵ−Ａに通知するようになされているので、計測データ収集者Ａが、計測データ収集用端末装置Ｕ及び無線装置Ｍを動作上の異常がないようにすることに速やかに対応することができ、よって、計測データ収集用端末装置Ｕにおいて欠陥の生じていない計測データＤを収集・記憶させるようにすることができ、そして、その欠陥の生じていない計測データＤを、計測データ収集者用コンピュータ装置ＣＰＵ−Ａにおいて、多くの費用と多くの困難を伴うことなしに、容易に受けることができる。
【００２９】
また、図１に示す計測データ管理用コンピュータ装置ＣＰＵ−Ｂは、図１に示す本発明による計測データ配信システムに用いる、本発明による計測データ管理用コンピュータ装置であり、（イ）計測データ収集用端末装置Ｕによって収集・記憶されている計測データＤの、計測データ収集用端末装置Ｕの設置場所Ｐ−Ｕに配設された計測データ収集者Ａに係る無線装置Ｍを介して無線局を備えたデータ通信網ＮＥＴ−Ｄｏの一の無線局Ｒに送信された計測データＤを、データ通信網ＮＥＴ−Ｄｏ及び計測データ管理者Ｂに係る計測データ管理者用専用データ回線Ｌ−Ｂを介して受信し、その受信された計測データを記憶・管理するようになされているとともに、その記憶・管理された計測データＤを、計測データ収集者用コンピュータ装置ＣＰＵ−Ａに、その計測データ収集者用コンピュータ装置ＣＰＵ−Ａからの計測データ収集者Ａに係る計測データ収集者用データ回線Ｌ−Ａを介しての要求に応じ、その計測データ収集者用データ回線Ｌ−Ａを介して配信するようになされている。
【００３０】
このため、図１に示す本発明による計測データ管理用コンピュータ装置によれば、それを用いて、図１に示す本発明による計測データ配信システムで上述したように、計測データ収集者用コンピュータ装置ＣＰＵ−Ａにおいて、計測データ収集用端末装置Ｕにおいて収集・記憶されている計測データＤを、より適切に、多くの費用と多くの困難を伴うことなしに、受けさせることができる。
【００３１】
また、図１に示す計測データ管理用コンピュータ装置ＣＰＵ−Ｂは、上述した（イ）の本発明による計測データ管理用コンピュータ装置において、（ロ）計測データ管理用コンピュータ装置ＣＰＵ−Ｂに記憶・管理された計測データ収集用端末装置Ｕからの計測データＤを用い、それに欠陥が生じているか否かを検知するようになされ、それにより、当該計測データ管理用コンピュータ装置ＣＰＵ−Ｂに記憶・管理された計測データＤに欠陥が生じていることが検知されれば、その欠陥が生じていることになったデータ収集用端末装置Ｕにおいて収集・記憶されている計測データＤを、計測データ収集用端末装置Ｕから、当該計測データ管理用コンピュータ装置ＣＰＵ−Ｂからの計測データ管理者用専用データ回線Ｌ−Ｂ、データ通信網ＮＥＴ−Ｄｏ、その一の無線局Ｒ及び無線装置Ｍを介しての要求に応じ、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して受信し、その再受信された計測データＤについて、それに欠陥が生じているか否かを検知するようになされ、それにより、その再受信された計測データＤに欠陥が生じていないことが検知されれば、その再受信された計測データＤを、欠陥が生じていることが検知された計測データＤに代え、記憶・管理するようになされている。
【００３２】
このため、図１に示す本発明による計測データ管理用コンピュータ装置によれば、それを用いて、図１に示す本発明による計測データ配信システムで上述したように、計測データ収集者用コンピュータ装置ＣＰＵ−Ａにおいて、計測データ収集用端末装置Ｕにおいて収集・記憶されている計測データＤを、欠陥の生じていない計測データＤとして、多くの費用と多くの困難を伴うことなしに、容易に受けさせることができる。
【００３３】
さらに、図１に示す計測データ管理用コンピュータ装置ＣＰＵ−Ｂは上述した本発明による計測データ管理用コンピュータ装置において、（ハ）計測データ収集用端末装置Ｕの設置場所Ｐ−Ｕに配設された監視装置Ｗにおいて得られる計測データ収集用端末装置Ｕ及び無線装置Ｍの動作に係わる監視情報を、無線装置Ｍ、データ通信網ＮＥＴ−Ｄｏの一の無線局Ｒ、データ通信網ＮＥＴ−Ｄｏ及び計測データ管理者用専用データ回線Ｌ−Ｂを介して受信し、その受信された監視情報Ｈを用いて、計測データ収集用端末装置Ｕ及び無線装置Ｍにおいて動作上の異常が生じているか否かを検知するようになされ、それにより、計測データ管理用コンピュータ装置ＣＰＵ−Ｂにおいて、計測データ収集用端末装置Ｕ及び無線装置Ｍにおいて動作上の異常が生じていることが検知されれば、そのことを、計測データ管理用コンピュータ装置ＣＰＵ−Ｂから、計測データ収集者用コンピュータ装置ＣＰＵ−Ａに、計測データ収集者用データ回線Ｌ−Ａを介してまたは他の通信回線Ｌ−Ｃを介して、通知するようになされている。
【００３４】
このため、図１に示す本発明による計測データ管理用コンピュータ装置によれば、それを用いて、計測データ収集用端末装置Ｕにおいて欠陥の生じていない計測データＤを収集・記憶させるようにすることができ、そして、その欠陥の生じていない計測データＤを、計測データ収集者用コンピュータ装置ＣＰＵ−Ａにおいて、多くの費用と多くの困難を伴うことなしに、容易に受けさせることができる。
【００３５】
なお、上述においては、本発明による計測データ配信システム、及びそれに用いる計測データ管理用コンピュータ装置のそれぞれについて１つの例を示したに留まり、本発明の精神を脱することなしに種々の変型、変更をなし得るであろう。
【００３６】
【発明の効果】
本発明による計測データ配信システムによれば、計測データ収集者用コンピュータ装置において、計測データ収集用端末装置において収集・記憶されている計測データを、欠陥の生じていない計測データとして、多くの費用と多くの困難とを伴うことなしに、受けることができる。
【００３７】
本発明による計測データ管理用コンピュータ装置によれば、計測データ収集者用コンピュータ装置において、計測データ収集用端末装置において収集・記憶されている計測データを、欠陥の生じていない計測データとして、多くの費用と多くの困難とを伴うことなしに、受けさせることができる。
【図面の簡単な説明】
【図１】  本発明による計測データ配信システムの実施の形態、及びそれに用いる計測データ管理用コンピュータ装置の実施の形態を示す略線的系統図である。
【図２】  本発明による計測データ配信システムの実施の形態、及びそれに用いる計測データ管理用コンピュータ装置の実施の形態の説明に供する、計測データ収集用端末装置での計測データの収集の態様を示す図である。
【図３】  本発明による計測データ配信システムの実施の形態、及びそれに用いる計測データ管理用コンピュータ装置の実施の形態の説明に供する、計測データ収集用端末装置での計測データの収集・記憶の態様を示す図である。
【図４】  本発明による計測データ配信システムの実施の形態、及びそれに用いる計測データ管理用コンピュータ装置の実施の形態の説明に供する、計測データ管理用コンピュータ装置での計測データの記憶・管理の態様を示す図である。
【符号の説明】
ＡＭ
異常表示情報
ＡＲ          異常検知手段
ＣＰＵ−Ａ    計測データ収集者用コンピュータ装置
ＣＰＵ−Ｂ    計測データ管理用コンピュータ装置
Ｄ            計測データ
ＤＴ          欠陥検知手段
ＦＡ          インターフェース
ＦＢ
インターフェース
ＦＮ
インターフェース
Ｈ            監視情報
Ｌ−Ａ        計測データ収集者用データ回線
Ｌ−Ｂ
計測データ管理者用専用データ回線
Ｌ−Ｃ        通信回線
Ｍ            無線装置
ＮＥＴ−Ｄｏ  データ通信網
ＱＡ          配信要求情報
ＱＵ          再送要求情報
Ｒ            無線局
ＴＢＬ        テーブル
Ｕ            計測データ収集用端末装置
Ｗ            監視装置
【図１】
0005147147.tif 000002
【図２】
0005147147.tif 000003
【図３】
0005147147.tif 000004
【図４】
0005147147.tif 000005